(57)【特許請求の範囲】
【請求項１】
種類の異なる外壁パネルの強度比較を体験する強度比較体験装置と、
各外壁パネルの透水性を比較する透水性比較装置と、
各外壁パネルの拡大比較を体験する拡大比較体験装置とを具備し、
前記強度比較体験装置は、
透明の保護カバーにより覆われてなる展示室と、
この展示室内に設けられ、種類の異なる外壁パネルよりなる複数の試験片を装着するようになされた試験片装着部と、
この試験片装着部に装着された各試験片に対しそれぞれ個別に打ち付けられるようになされたハーケンと、
展示室の外側に設けられ、ハーケンに連動するレバーとを備え、
体験者自らのレバー操作によりハーケンを各試験片に対し個々に打ち付けて各試験片の強度比較を実際に体験するようになされており、
前記透水性比較装置は、
透明の保護カバーにより覆われてなる展示室を備え、
この展示室内には、種類の異なる外壁パネルにより内部に液体が貯留可能に形成されてなる複数の試験器が互いに隣接して展示され、
各試験器は、その周囲の一部に前方に開口する開口部を備えているとともに、この開口部を水密状態で遮蔽する透明板を備え、
体験者自らが各試験器の内部に貯留された液体の経時的な透水による変化量を透明板を介して覗き見ることによって各試験器の透水性を実際に比較するようになされており、
前記拡大比較体験装置は、
種類の異なる外壁パネルよりなる複数のサンプル片が互いに隣接して展示される展示部を有する装置本体と、
展示部に展示された各サンプル片の展示面に対し装置本体外側方向に所定間隔隔てた位置でほぼ面対向するように設けられ、各サンプル片の展示面をそれぞれ拡大する拡大鏡とを備え、
体験者自らが装置本体外側から拡大鏡を介して覗き見ることによって各サンプル片の展示面の拡大比較を実際に体験するようになされていて、
装置本体は、各サンプル片の展示面に対し光を照射する照射体を具備しているとともに、
拡大鏡は、各サンプル片の展示面を装置本体外側から略等倍率で透かし見れる透明体と、各サンプル片の展示面に対し装置本体外側方向に所定間隔隔てた位置でそれぞれ個別にほぼ面対向するように透明体に装着され、各サンプル片の展示面をそれぞれ個別に拡大する複数の拡大レンズとを備えており、
体験者自らが実際に各外壁パネルをそれぞれ強度比較、透水性比較及び拡大比較することによって、各外壁パネルの性能の違いを多方向から認識し得るようになされていることを特徴とする外壁パネルの性能展示設備。
【発明の詳細な説明】
【０００１】
【発明の属する技術分野】
本発明は、種類の異なる外壁パネルの強度、透水性及び拡大面の違いをそれぞれ実際に比較してもらうことで体験するようになされた外壁パネルの性能展示設備に関するものである。
【０００２】
【従来の技術】
従来より、住宅建物の外壁には、断熱性などを高める上で、内部に気泡を含んだ軽量気泡コンクリートよりなる外壁パネルが使用されている。この外壁パネルとしては、気泡同士が独立しているいわゆる独立気泡のものや、気泡同士がミクロの毛細管で連続しているいわゆる連続気泡のものなどがある。これらの外壁パネルの違いは、住宅建物のカタログに紹介したり、展示場に訪れた購入予定者に口頭で説明したりしていた。
【０００３】
【発明が解決しようとする課題】
しかし、実際に住宅建物の外壁に使用されている外壁パネルは、外観上は略同じであるため、その性能、例えば強度、透水性及び構造上の違いなどをカタログで紹介したり、口頭で説明しても、容易に理解してもらい難く、説明に時間がかかって煩わしくなる。
【０００４】
さらに、カタログでの紹介や口頭での説明の場合、単に強度や透水性の違いなどを数値で把握してもらったり、構造上の違いを写真で見て把握してもらうだけになってしまうので、それぞれの外壁パネルの強度差、透水性の差及び構造上の差を印象付けることができないといった不都合を生じることとなる。
【０００５】
本発明は、かかる点に鑑みてなされたものであり、その目的とするところは、種類の異なる外壁パネルの強度、透水性及び構造の違いを容易に把握でき、その強度差、透水性差及び構造上の差を印象付けることができる外壁パネルの性能展示設備を提供することにある。
【０００６】
【課題を解決するための手段】
上記目的を達成するために、請求項１に係わる発明が講じた解決手段は、外壁パネルの性能展示設備として、種類の異なる外壁パネルの強度比較を体験する強度比較体験装置と、各外壁パネルの透水性を比較する透水性比較装置と、各外壁パネルの拡大比較を体験する拡大比較体験装置とを具備する。そして、体験者自らが実際に各外壁パネルをそれぞれ強度比較、透水性比較及び拡大比較することによって、各外壁パネルの性能の違いを多方向から認識し得るようになされたものにしている。
【０００７】
この場合、種類の異なる外壁パネルの性能の違いが、それぞれ強度比較、透水性比較及び拡大比較により多方向から認識し得られて明確なものとなり、その外壁パネルの差を印象付けることが可能となる。
【０００８】
また、強度比較体験装置に、透明の保護カバーにより覆われてなる展示室と、この展示室内に設けられ、種類の異なる外壁パネルよりなる複数の試験片を装着するようになされた試験片装着部と、この試験片装着部に装着された各試験片に対しそれぞれ個別に打ち付けられるようになされたハーケンと、展示室の外側に設けられ、ハーケンに連動するレバーとを備える。そして、体験者自らのレバー操作によりハーケンを各試験片に対し個々に打ち付けて各試験片の強度比較を実際に体験するようになされたものにしている。
【０００９】
この場合、複数の試験片に対しそれぞれハーケンを打ち付けて強度を比較する実体験によって種類の異なる外壁パネルの強度差が明確なものとなり、これらの外壁パネルの強度の違いを容易に把握してもらえ、その強度差を印象付けることが可能となる。
【００１０】
また、レバー操作時の力の掛け具合で、ハーケンが各試験片に対し打ち付けられるかといったことがある程度予測され、各試験片の打ち付け部位の凹み具合などを見極めることで、各試験片の強度を実感することが可能となる。
【００１１】
しかも、試験片の違いによっては、レバー操作時の力の掛け具合で凹んだり、凹まなかったりするので、各試験片の種類毎の強度の違いを実感することが可能となる。
【００１２】
さらに、ハーケンによって各試験片を打ち付ける場合、各試験片は透明の保護カバーにより覆われているので、各試験片の破片が展示室外に飛散することが防止され、各試験片の強度比較体験が安全に行える。
【００１３】
また、透水性比較装置に、透明の保護カバーにより覆われてなる展示室を備える。この展示室内に、種類の異なる外壁パネルにより内部に液体が貯留可能に形成されてなる複数の試験器を互いに隣接して展示する。各試験器に、その周囲の一部に前方に開口する開口部を備えるとともに、この開口部を水密状態で遮蔽する透明板を備える。そして、体験者自らが各試験器の内部に貯留された液体の経時的な透水による変化量を透明板を介して覗き見ることによって各試験器の透水性を実際に比較するようになされたものにしている。
【００１４】
この場合、各試験器の内部に貯留された液体を透明板を介して覗き見ることによって、各試験器内部の液体の経時的な透水による変化量が一目で比較され、種類の異なる外壁パネルの差が明確なものとなり、種類の異なる外壁パネルの透水性の違いを容易に把握してもらえ、その透水性の差を印象付けることが可能となる。
【００１５】
さらに、各試験器の周囲において内部から染み出す液体のシミの出具合により、各外壁パネルの透水性の差を各試験器によって実体験することが可能となる。
【００１６】
しかも、展示室が透明カバーにより覆われているので、展示室内を気密状態にすることが可能となり、各試験器内の液体の蒸発が効果的に抑制され、各試験器内の液体の透水による変化量が正確に把握されることになる。
【００１７】
また、拡大比較体験装置に、種類の異なる外壁パネルよりなる複数のサンプル片が互いに隣接して展示される展示部を有する装置本体と、展示部に展示された各サンプル片の展示面に対し装置本体外側方向に所定間隔隔てた位置でほぼ面対向するように設けられ、各サンプル片の展示面をそれぞれ拡大する拡大鏡とを備える。そして、体験者自らが装置本体外側から拡大鏡を介して覗き見ることによって各サンプル片の展示面の拡大比較を実際に体験するようになされたものにしている。
【００１８】
この場合、拡大鏡を覗き見て各サンプル片の展示面を拡大比較する実体験によって種類の異なる外壁パネルの差が明確なものとなる。これにより、種類の異なる外壁パネルの構造の違いを容易に把握してもらえ、その構造上の差を印象付けることが可能となる。
【００１９】
ここで、拡大比較体験装置の装置本体に、各サンプル片の展示面に対し光を照射する照射体を備えている場合には、拡大鏡を覗き見た際に各サンプル片の展示面を常時鮮明な状態で拡大比較することが可能となる。このため、装置本体は、その設置場所に制限を受けることがなく、屋内や屋外を問わず設置可能な場所が拡大される。
【００２０】
さらに、拡大比較判定装置の拡大鏡に、各サンプル片の展示面を装置本体外側から略等倍率で透かし見れる透明体と、各サンプル片の展示面に対し装置本体外側方向に所定間隔隔てた位置でそれぞれ個別にほぼ面対向するように透明体に装着され、各サンプル片の展示面をそれぞれ個別に拡大する複数の拡大レンズとを備えている。この場合には、各拡大レンズがそれぞれ各サンプル片の展示面の範囲内に間違いなく位置付けられていることが、透明体を介して透かし見えることになる。このため、拡大鏡を覗き見ただけでは所望するサンプル片の展示面を見誤るおそれがあるといったことが確実に防止され、透明体を介して透かし見える各サンプル片の展示面を各拡大レンズを介して見誤ることなく交互に拡大比較することが可能となる。
【００２１】
【発明の実施の形態】
以下、本発明の実施の形態を図面に基づいて説明する。
【００２２】
図１は外壁パネルの性能展示設備１の全体構成の概略を示している。図２は強度比較体験装置２の全体構成の概略を示し、図３は同強度比較体験装置２の使用状態を説明している。また、図４は透水性比較装置３の全体構成の概略を示し、図５は同透水性比較装置３の使用状態を示している。さらに、図６は拡大比較体験装置４の全体構成の概略を示し、図７は同拡大比較体験装置４の使用状態を示している。
【００２３】
すなわち、この外壁パネルの性能展示設備１は、図１に示すように、種類の異なる外壁パネルの強度比較を体験する強度比較体験装置２と、各外壁パネルの透水性を比較する透水性比較装置３と、各外壁パネルの拡大比較を体験する拡大比較体験装置４とを具備している。
【００２４】
−強度比較体験装置２の構成説明−
強度比較体験装置２は、図２及び図３に示すように、展示室２１と、試験片装着部２２と、ハーケン２３と、レバー２４とを具備している。
【００２５】
展示室２１は、平面視で略矩形状を呈するプレート２１ａと、このプレート２１ａの上方を覆う透明の保護カバー２１ｂとを備えている。プレート２１ａは、図１及び図３に示すフロア面１１に据え付けられた台座１２の上面左側部に設置されている。この台座１２の上面は、体験者Ｘ（大人）の股下高さ付近に位置している。また、保護カバー２１ｂは、例えばポリカーボネートなどの強化プラスチック材料により断面略半円弧状に形成されてなる。この保護カバー２１ｂは、プレート２１ａの略中央に取り付けられ、プレート２１ａ長手方向の両端部においてそれぞれ開口している。これにより、展示室２１は、体験者Ｘが上方から保護カバー２１ｂを介して内部を見渡せるようになっている。
【００２６】
展示室２１の内部には試験片装着部２２が設けられている。この試験片装着部２２は、プレート２１ａ長手方向に亘って互いに平行に敷設された一対の試験片装着枠２２ａ，２２ａを備えている。この各試験片装着枠２２ａ，２２ａ間には、種類の異なる外壁パネルよりなる２つの第１及び第２試験片Ｄ１，Ｒ１がプレート２１ａ長手方向に所定間隔隔て装着されている。この各試験片Ｄ１，Ｒ１としては、双方共に内部に気泡を含んだ軽量気泡コンクリートよりなる外壁パネルをそれぞれ直方体ブロック状に形成したものが用いられている。第１試験片Ｄ１（図１及び図２では左側）としては独立気泡のものが用いられ、一方、第２試験片Ｒ１（図１及び図２では右側）としては連続気泡のものが用いられている。各試験片Ｄ１，Ｒ１は、プレート２１ａ短手方向の手前側（図１及び図２では左側）から見てプレート２１ａ長手方向に並んで展示されている。
【００２７】
ハーケン２３は、各試験片Ｄ１，Ｒ１に対しそれぞれ個別に打ち付けられるように個々に配置されている。この各ハーケン２３は、展示室２１内の奥側つまりプレート２１ａ短手方向の奥側（図２及び図３では右側）にある回転軸２５に対し直交して延設されたそれぞれのロッド２６の途中に設けられている。各回転軸２５は、プレート２１ａ短手方向の奥側にそれぞれ立設された一対の回転軸支持部材２７，２７の上端部間に回転自在に架設されている。各ハーケン２３は、回転軸２５を支点とする軌跡Ａ（図３に表れる）でそれぞれ上下方向に回動するようになされ、下方への回動時に各試験片Ｄ１，Ｒ１に対しそれぞれ個別に打ち付けられる。
【００２８】
また、各試験片装着枠２２ａと各回転支持部材２７との間に位置するプレート２１ａ上にはそれぞれストッパ片２８（図３に一方のみ示す）が立設されている。この各ストッパ片２８は、ハーケン２３により試験片Ｄ１，Ｒ１が打ち砕かれてさらに下方に回動しようとするときに、ロッド２６を当接させることで、ハーケン２３の下方への回動を規制するようにしている。各ロッド２６の先端は、保護カバー２１ｂに開口するスリット２１ｃ，２１ｃを介して展示室２１外に突出している。この各スリット２２ａは、保護カバー２１ｂを各ハーケン２３の回動方向つまり軌跡Ａ方向に則して切り欠いて形成されてなる。
【００２９】
レバー２４は、各スリット２１ｃを介して展示室２１外に突出するロッド２６の先端部に、それぞれ回転軸２５と直交するように取り付けられている。
【００３０】
−強度比較体験装置２の使用方法の説明−
次に、強度比較体験装置２の使用方法を図２及び図３に基づいて説明する。
【００３１】
先ず、図２に示すように、使用するに当たり、試験片装着部２２の試験片装着枠２２ａ，２２ａ間の所定位置（プレート２１ａ長手方向で所定間隔隔てた位置）に、独立気泡の第１試験片Ｄ１及び連続気泡の第２試験片Ｒ１を、保護カバー２１ｂ両端部の開口を介してそれぞれ装着する。
【００３２】
次いで、図示しない体験者Ｘ自らの手で、第１及び第２試験片Ｄ１，Ｒ１の強度を順に比較して体験する。
【００３３】
すなわち、一方のレバー２４（例えば第１試験片Ｄ１に対応する左側のレバー２４）を、図３に仮想線（二点鎖線）で示す位置まで上方へ回動させる。このとき、レバー２４は、体験者Ｘの肩口付近の高さに位置付けられる。
【００３４】
そして、この一方のレバー２４を、図２及び図３に示す実線位置まで体験者Ｘ自らの手で下方へ回動させることにより、第１試験片Ｄ１の上面にハーケン２３を打ち付ける。
【００３５】
このとき、独立気泡の第１試験片Ｄ１は、その上面にハーケン２３の打ち付けによる凹みが生じ難く、到底打ち砕けないことが体験できる。
【００３６】
一方、上記一方のレバー２４と同様に、他方のレバー２４（例えば第２試験片Ｒ１に対応する右側のレバー２４）を上方へ回動させ、この他方のレバー２４を体験者Ｘ自らの手で下方へ回動させることにより、第２試験片Ｒ１の上面にハーケン２３を打ち付ける。
【００３７】
このとき、連続気泡の第２試験片Ｒ１では、第１試験片Ｄ１と同程度のハーケン２３の打ち付によって上面に凹みが生じ易く、場合によって打ち砕かれることが体験できる。
【００３８】
従って、第１試験片Ｄ１及び第２試験片Ｒ１に対しそれぞれハーケン２３を個別に打ち付けて各試験片Ｄ１，Ｒ１の強度を比較することが可能となり、この強度を比較する実体験によって、各試験片Ｄ１，Ｒ１つまり二種類の異なる外壁パネルの強度差が明確なものとなる。これにより、これらの外壁パネルの強度の違いを容易に把握してもらうことができ、その強度差を印象付けることができる。
【００３９】
また、レバー２４を下方に回動させる際の勢い、つまりどの程度の力の掛け具合で、ハーケン２３が各試験片Ｄ１，Ｒ１に対し打ち付けられるかといったことがある程度予測できるので、各試験片Ｄ１，Ｒ１の打ち付け部位の凹み具合などを見極めることで、各試験片Ｄ１，Ｒ１の強度を実感することができる。
【００４０】
加えて、試験片Ｄ１，Ｒ１の違いによっては、同程度の打ち付け力で凹んだり、凹まなかったりするので、各試験片Ｄ１，Ｒ１の種類毎の強度の違いを実感することができる。
【００４１】
さらに、ハーケン２３によって各試験片Ｄ１，Ｒ１を打ち付ける場合、各試験片Ｄ１，Ｒ１は透明の保護カバー２１ｂにより被覆されているので、各試験片Ｄ１，Ｒ１の破片が展示室２１外に飛散することはなく、各試験片Ｄ１，Ｒ１の強度比較体験を安全に行うことができる。
【００４２】
−透水性比較装置３の構成説明−
透水性比較装置３は、図４及び図５に示すように、展示室３１を具備している。
【００４３】
展示室３１は、平面視で略矩形状を呈するプレート状の展示台３２と、この展示台３２を前後左右方向及び上方から覆う透明の保護カバー３３とを備えている。展示台３２は、図１に示すように、台座１２の上面略中央部に設置されている。
【００４４】
保護カバー３３は、展示台３２をそれぞれ前後方向から覆う左右方向に長い略矩形状の第１及び第２透明板３３ａ，３３ｂと、展示台３２をそれぞれ左右方向から覆う略正方形状の第３及び第４透明板３３ｃ，３３ｄと、展示台３２を上方から覆う左右方向に長い第５透明板３３ｅとからなり、展示台３２とで左右方向に長い略ボックス状に形成されてなる。この保護カバー３３つまり第１〜第５透明板３３ａ〜３３ｅは、例えばポリカーボネートなどの強化プラスチック材料により構成され、その各辺をそれぞれ接着剤（図示せず）で接着することにより、展示室３１内を略気密状態に保持するようにしている。
【００４５】
この展示室３１内には、種類の異なる外壁パネルよりなる２つの第１及び第２試験器Ｄ２，Ｒ２が、展示台３２短手方向の手前側（図５では左側）から見て展示台３２の長手方向（左右方向）に互いに隣接して展示されている。この各試験器Ｄ２，Ｒ２としては、双方共に内部に気泡を含んだ軽量気泡コンクリートよりなる略矩形状の外壁パネル片Ｄａ，Ｒａをそれぞれ組み立てたものが適用されている。そして、第１試験器Ｄ２（図４では左側）を組み立てるに当たり、独立気泡の外壁パネル片Ｄａ，…が４枚用いられている。また、第２試験器Ｒ２（図４では右側）を組み立てるに当たり、連続気泡の外壁パネル片６ａ，…が４枚用いられている。
【００４６】
各試験器Ｄ２，Ｒ２は、展示台３２上にそれぞれ伏せて安定良く設置される外壁パネル片Ｄａ，Ｒａの左右両側縁及び後縁に対し残る３枚の各外壁パネル片Ｄａ，Ｒａを水密状態に接着して組み付けられている。これにより、前方に開口する開口部としての前方開口部Ｄｂ，Ｒｂ及び上方に開口する上方開口部Ｄｃ，Ｒｃがそれぞれ形成されてなる。
【００４７】
第１試験器Ｄ２の各外壁パネル片Ｄａでは、独立気泡であるために敢えて薄肉なものが適用されている。これに対し、第２試験器Ｒ２の各外壁パネル片Ｒａでは、連続気泡であるために第１試験片Ｄ２のものよりも厚肉な略２倍の肉厚のものが適用されている。この場合、各試験器Ｄ２，Ｒ２の内部寸法、つまり上下方向内寸法、左右方向内寸法及び前後方向内寸法（奥行き方向内寸法）は、それぞれ一致するようになされている。
【００４８】
各試験器Ｄ２，Ｒ２の前方開口部Ｄｂ，Ｒｂにはそれぞれ透明板３４が装着されている。この各透明板３４は、例えばアクリル材料よりなり、各試験器Ｄ２，Ｒ２の前方開口部Ｄｂ，Ｒｂを水密状態で遮蔽するようになされている。各試験器Ｄ２，Ｒ２は、それぞれ透明板３４により前方開口部Ｄｂ，Ｒｂを遮蔽することによって内部容積が一致するようになされている。各試験器Ｄ２，Ｒ２内には、それぞれ上方開口部Ｄｃ，Ｒｃを介して同量の水Ｗが満水状態に貯留されるようになっている。この場合、各試験器Ｄ２，Ｒ２の外壁パネル片Ｄａ，Ｒａの肉厚に差があるため、第１試験器Ｄ２はその下面にスペーサ３５（図４に表れる）を介して展示台３２上に設置されている。これにより、各試験器Ｄ２，Ｒ２内に当初満水状態に貯留された互いの水Ｗの水位が前方より見て一致するようになっている。
【００４９】
−透水性比較装置３の使用方法の説明−
次に、透水性比較装置３の使用方法を図４及び図５に基づいて説明する。
【００５０】
この場合、使用するに当たり、展示台３２の上面に、独立気泡の外壁パネル片Ｄａよりなる第１試験器Ｄ２をスペーサ３５を介して装着すると共に、連続気泡の外壁パネル片Ｒａよりなる第２試験器Ｒ２を装着し、この各試験器Ｄ２，Ｒ２を展示台３２長手方向（左右方向）に互いに隣接するように展示しておく。
【００５１】
先ず、展示室３１の展示台３２の上面に装着した第１試験器Ｄ２及び第２試験器Ｒ２の内部にそれぞれ上方開口部Ｄｃ，Ｒｃを介して水Ｗを同量注入する。このとき、各試験器Ｄ２，Ｒ２内に満水状態に貯留した互いの水Ｗの水位は前方より見て互いに一致している。
【００５２】
次いで、展示台３２に対し保護カバー３３を装着し、展示室３１内を気密状態にする。これにより、各試験器Ｄ２，Ｒ２内の水Ｗの蒸発を効果的に抑制できることになる。
【００５３】
しかる後、例えば数十分経過した後、各試験器Ｄ２，Ｒ２の透水性を比較する。すなわち、体験者Ｘ自らの目で、第１及び第２試験器Ｄ２，Ｒ２内に貯留されてから数十分経過後の水Ｗの水位をそれぞれ透明板３４を介して覗き見る。このとき、第１試験器Ｄ２周囲の薄肉な外壁パネル片Ｄａには大した変化が見受けられないものの、第２試験器Ｒ２周囲の外壁パネル片Ｒａには、厚肉であるにもかかわらず内部から水Ｗが染み出すシミＷａ，…（図１に表れる）の発生が随所に窺える。
【００５４】
これにより、各試験器Ｄ２，Ｒ２内の水Ｗの経時的な透水による変化量（水位の変化）を一目で比較することが可能となり、種類の異なる外壁パネルの差が明確なものとなる。このため、種類の異なる外壁パネルの透水性の違いを容易に把握してもらうことができ、その透水性の差を印象付けることができる。
【００５５】
しかも、厚肉であるにもかかわらず第２試験器Ｒ２の周囲においてのみ発生するシミＷａにより、各外壁パネルの透水性の差を各試験器Ｄ２，Ｒ２によってわかり易く実体験することができる。
【００５６】
さらに、展示台３２に対し保護カバー３３を装着して展示室３１内を略気密状態にすることにより、各試験器Ｄ２，Ｒ２内の水Ｗの蒸発を効果的に抑制し、各試験器Ｄ２，Ｒ２内の水Ｗの透水による変化量を正確に把握することができる。
【００５７】
−拡大比較体験装置４の構成説明−
拡大比較体験装置４は、図６及び図７に示すように、装置本体５と、照射体６と、拡大鏡７とを具備している。
【００５８】
装置本体５は、平面視で略矩形状を呈するプレート状に形成され、図１に示すように、台座１２の上面右側端部に設置されている。この場合、台座１２上に設置された装置本体５は、人影などにより光が遮られ易い部位に位置している。
【００５９】
また、装置本体５には展示部５１が設けられている。この展示部５１は、装置本体５上に装着される装着プレート５２と、この装着プレート５２上に立設された支柱５３と、この支柱５３の先端に設けられ、上面が略水平状態となる直方体形状の展示台５４とを備えている。この展示台５４の上面は矩形状を呈している。
【００６０】
展示部５１の展示台５４上には、種類の異なる外壁パネルよりなる２つの第１及び第２サンプル片Ｄ３，Ｒ３が展示台５４の上面に装着されている。この各サンプル片Ｄ３，Ｒ３としては、双方共に内部に気泡Ｋ（図８及び図９に表れる）を含んだ軽量気泡コンクリートよりなる外壁パネルをそれぞれ薄肉で略正方形状に形成したものが適用されている。そして、第１サンプル片Ｄ３（図６では左側）としては独立気泡のものが用いられている。また、第２サンプル片Ｒ３（図６では右側）としては連続気泡のものが用いられている。各サンプル片Ｄ３，Ｒ３は、展示台５４上面短手方向の手前側（図７では左側）から見て展示台５４の上面長手方向（図１では左右方向）に互いに隣接して展示されている。
【００６１】
照射体６は、装置本体５上の短手方向の奥側（図７では右側）に設けられた配線案内カバー６１と、この配線案内カバー６１上に立設されたスタンドアーム６２（図７に表れる）と、このスタンドアーム６２の上端に設けられた照明格納カバー６３と、この照明格納カバー６３内に格納されたランプ６４（図７に表れる）とを備えている。
【００６２】
配線案内カバー６１は、装置本体５短手方向の奥側をその長手方向に沿って延設されている。この配線案内カバー６１内には、一端がコンセント（図示せず）に接続される配線６５の他端側が案内される。また、配線案内カバー６１の上面には、ランプ６４を点灯又は消灯させる切換スイッチ６７が設けられている。
【００６３】
スタンドアーム６２は、配線案内カバー６１上面の一端（図７では奥側端）より上方に延設されている。このスタンドアーム６２は、配線案内カバー６１内を案内した配線６５の他端側が挿通可能となるよう中空状に形成され、配線６５の他端をランプ６４まで案内するようになっている。
【００６４】
照明格納カバー６３は、配線案内カバー６１の上方を装置本体５の長手方向に延びる略円筒状に形成されている。この照明格納カバー６３は、展示部５１の展示台５４上に装着された各サンプル片Ｒ３，Ｄ３よりも斜め上方に位置している。そして、照明格納カバー６３には装置本体５長手方向に延びる照射口６６（図７に表れる）が開口し、この照射口６６を介してランプ６４の光Ｈ（図７に表れる）が照射されるようになっている。この場合、照射口６６を介したランプ６４の光Ｈは、図７に二点鎖線で示すように、各サンプル片Ｄ３，Ｒ３の展示面Ｄｔ，Ｒｔに対し斜め上方から照射される。
【００６５】
拡大鏡７は、照射体６の照明格納カバー６３に一体的に取り付けられた保持部７１と、この保持部７１に設けられた透明体７２と、透明体７２に設けられた２つの拡大レンズ７３，７３とを備えている。
【００６６】
保持部７１は、プレート状に形成され、照明格納カバー６３の装置本体５長手方向略全域に亘って装置本体５短手方向手前側に突出してなる。この保持部７１にはその周縁を残して開口する開口部７４が設けられ、この開口部７４は、装置本体５長手方向に長径な略楕円形状に形成されてなる。
【００６７】
透明体７２は、例えばポリカーボネートなどの強化プラスチック材料により板状に形成され、保持部７１の開口部７４に装着されている。この透明体７２には、略真円形状の２つの開口７５，７５が装置本体５長手方向に並んで設けられている。この各開口７５は、各サンプル片Ｄ３，Ｒ３の展示面Ｄｔ，Ｒｔの上方にそれぞれ個別に対応している。この場合、透明体７２は、各サンプル片Ｄ３，Ｒ３の展示面Ｄｔ，Ｒｔを上方から略等倍率で透かし見れるようになされている。
【００６８】
各拡大レンズ７３は、凸レンズよりなり、それぞれ透明体７２の各開口７５に装着されている。この各拡大レンズ７３は、展示部５１の展示台５４上面に展示された各サンプル片Ｄ３，Ｒ３の展示面Ｄｔ，Ｒｔに対しそれぞれ上方（装置本体５の外側方向）に所定間隔隔てた位置でほぼ面対向するようになっている。そして、各拡大レンズ７３（拡大鏡７）は、体験者Ｘの胸部付近に位置し、装置本体５の外側となる上方から体験者Ｘが覗き見た際、図８及び図９に示すように、各拡大レンズ７３を介して各サンプル片Ｄ３，Ｒ３の展示面Ｄｔ，Ｒｔをそれぞれ拡大するようになされている。
【００６９】
−拡大比較体験装置４の使用方法の説明−
次に、拡大比較体験装置４の使用方法を図６〜図９に基づいて説明する。
【００７０】
この場合、使用するに当たり、展示台５４の上面に、独立気泡の第１サンプル片Ｄ３及び連続気泡の第２サンプル片Ｒ３を、展示台５４の上面長手方向に互いに隣接するように装着しておく。
【００７１】
先ず、切換スイッチ６７を点灯側に切換えてランプ６４を点灯させ、このランプ６４の光Ｈを、照射口６６を介して各サンプル片Ｄ３，Ｒ３の展示面Ｄｔ，Ｒｔに対し斜め上方から照射する。
【００７２】
次いで、体験者Ｘ自らの目で、第１及び第２サンプル片Ｄ３，Ｒ３の展示面Ｄｔ，Ｒｔを順に拡大比較して体験する。
【００７３】
すなわち、拡大鏡７の一方の拡大レンズ７３（例えば第１サンプル片Ｄ３の上方に対応する左側の拡大レンズ７３）を、図７に一点鎖線で示すように、体験者Ｘが上体を屈めて装置本体５の上方から覗き見る。これにより、体験者Ｘは、図８に示すように、独立気泡の第１サンプル片Ｄ３の上面において確かに気泡Ｋ，…同士が独立していることを体験者Ｘ自らの目でもって体験することができる。
【００７４】
このとき、図８に示すように、一方の拡大レンズ７３が第１サンプル片Ｄ３の展示面Ｄｔの範囲内に間違いなく位置付けられていることが、透明体７２を介して透かし見えることで判明している。
【００７５】
一方、拡大鏡７の一方の拡大レンズ７３の場合と同様に、他方の拡大レンズ７３（例えば第２サンプル片Ｒ３の上方に対応する右側の拡大レンズ７３）を、体験者Ｘが上体を屈めて装置本体５の上方から覗き見る。これにより、体験者Ｘは、図９に示すように、連続気泡の第２サンプル片Ｒ３の上面において確かに気泡Ｋ，…同士が毛細管ｍ，…により連続していることを体験者Ｘ自らの目でもって体験することができる。
【００７６】
このとき、図９に示すように、他方の拡大レンズ７３が第２サンプル片Ｒ３の展示面Ｒｔの範囲内に間違いなく位置付けられていることが、透明体７２を介して透かし見えることで判明している。
【００７７】
従って、第１サンプル片Ｄ３の展示面Ｄｔ及び第２サンプル片Ｒ３の展示面Ｒｔをそれぞれ個別の拡大レンズ７３を介して覗き見て各サンプル片Ｄ３，Ｒ３の展示面Ｄｔ，Ｒｔを交互に拡大比較することが可能となり、この各展示面Ｄｔ，Ｒｔを拡大比較する実体験によって、各サンプル片Ｄ３，Ｒ３つまり二種類の異なる外壁パネルの差が明確なものとなる。これにより、これらの外壁パネルの構造上の違いを容易に把握してもらうことができ、その構造上の差を印象付けることができる。
【００７８】
また、各拡大レンズ７３がそれぞれ各サンプル片Ｄ３，Ｒ３の展示面Ｄｔ，Ｒｔの範囲内に間違いなく位置付けられていることが、略等倍率の透明体７２を介して透かし見えるので、各拡大レンズ７３がそれぞれ各サンプル片Ｄ３，Ｒ３の展示面Ｄｔ，Ｒｔの範囲内に間違いなく位置付けられていることが容易に判明する。このため、各拡大レンズ７３を覗き見ただけでは所望するサンプル片Ｄ３（又はＲ３）の展示面Ｄｔ（又はＲｔ）を見誤るおそれがあるといったことが確実に防止され、透明体７２を介して透かし見える各サンプル片Ｄ３，Ｒ３の展示面Ｄｔ，Ｒｔを各拡大レンズ７３を介して見誤ることなく交互に拡大比較することができる。
【００７９】
しかも、各サンプル片Ｄ３，Ｒ３の展示面Ｄｔ，Ｒｔに対しランプ７４の光Ｈを照射する照射体６が装置本体５に備えられているので、各拡大レンズ７３を覗き見た際に各サンプル片Ｄ３，Ｒ３の展示面Ｄｔ，Ｒｔを常時鮮明な状態で拡大比較することが可能となる。このため、装置本体５は、その設置場所に制限を受けることがなく、屋内や屋外を問わず設置可能な場所を拡大させることができる。
【００８０】
以上、要するに、台座１２の上面に強度比較体験装置２、透水性比較装置３及び拡大比較体験装置４がそれぞれ設けられていることにより、２種類の外壁パネルの性能の違いが、それぞれ強度比較、透水性比較及び拡大比較により多方向から認識し得られて明確なものとなり、その外壁パネルの差を強く印象付けることができる。
【００８１】
さらに、この性能展示設備１を、住宅展示場に設置しておき、この住宅展示場を訪れた人に体験してもらうことで、外壁パネルの種類の違いによって性能がどのように異なるかを身をもって知ってもらうことができ、外壁パネルの選択をスムーズに行うことができる。
【００８２】
なお、本実施形態では、種類の異なる外壁パネルよりなる２つの第１及び第２試験片Ｄ１，Ｒ１の強度比較、第１及び第２試験器Ｄ２，Ｒ２の透水性比較、及び第１及び第２サンプル片Ｄ３，Ｒ３の拡大比較をそれぞれ体験できるようにしたが、種類の異なる外壁パネルよりなる３つ以上の試験片の強度比較、各試験器の透水性比較及び各サンプル片の拡大比較を体験できるようにしても良い。この場合には、例えば、独立気泡の第１試験片、第１試験器及び第１サンプル片、並びに連続気泡の第２試験片、第２試験器及び第２サンプル片に加えて、気泡同士が部分的に一部連続する第３試験片、第３試験器及び第３サンプル片などとの性能比較をも体験することができる。
【００８３】
また、本実施形態では、各試験片装着枠２２ａ，２２ａ間に第１及び第２試験片Ｄ１，Ｒ１を装着したが、この各試験片が各試験片装着枠に対しプレート長手方向に移動可能に載置されるようにし、ハーケンを打ち付ける度ごとに各試験片をプレート長手方向に移動させることで、ハーケンによる各試験片への打ち付けが新規の箇所で行われるようにして体験者に分かり易いようにしても良いのは勿論である。さらに、本実施形態では、各試験片Ｄ１，Ｒ１にそれぞれ個別に対応するハーケン２３，２３を備えたが、各試験片をプレート上で移動可能に載置し、ハーケンの打ち付け部位に各試験片を交互に位置付けることで、単一のハーケンによって各試験片( 外壁パネル) の強度比較を体験することが可能となる。
【００８４】
さらに、本実施形態では、４枚の外壁パネル片Ｄａ，Ｒａにより各試験器Ｄ２，Ｒ２を形成したが、外壁パネル片の枚数が限定されるものではなく、底部と開口部を有する周囲とを備えていれば各試験器が何枚の外壁パネルで形成されていても良い。しかも、各試験器が厚肉な単一の外壁パネル片により形成されるようにしても良く、この場合には、単一の外壁パネル片の内部を液体貯留可能にくり抜いて上方及び前方に開口する開口部を形成する必要がある。また、本実施形態では、第１試験器Ｄ２の外壁パネル片Ｄａとして、第２試験器Ｒ２の外壁パネル片Ｒａの肉厚の略半分のものを適用したが、第２試験器の外壁パネル片と同厚の厚肉な独立気泡の外壁パネル片により第１試験器が形成されていても良いのは勿論である。
【００８５】
しかも、本実施形態では、ランプ６４の光Ｈを照射する照射体６を構成したが、太陽光などを反射させて展示台上の各サンプル片の展示面を照射するような光源を持たない反射板などにより照射体が構成されていても良いのは勿論である。このような照射体は、必ずしも必要不可欠な用件ではなく、室内外を問わず各サンプル片の展示面に対し十分に光が照射されていれば、敢えて設ける必要がない。
【００８６】
さらにまた、本実施形態では、拡大鏡７に２つの拡大レンズ７３，７３を設けたが、各サンプル片の展示面に対応する単一の拡大レンズが設けられるようにしても良い。また、各サンプル片のうち、１つのサンプル片の展示面ごとに複数対応する複数の拡大レンズが設けられるようにしても良く、この場合には、複数の体験者が１つのサンプル片の展示面を複数の拡大レンズを介して同時に覗き見ることができる。しかも、本実施形態では、装置本体５に拡大鏡７を一体的に設けたが、装置本体と拡大鏡とが別体で設けられていても良い。
【００８７】
また、本実施形態では、各サンプル片Ｄ３，Ｒ３の展示面Ｄｔ，Ｒｔの上方に各拡大レンズ７３，７３（拡大鏡７）を対向させたが、各サンプル片の展示面が前面向き又は斜め上方向向きなどに配されるようにしても良い。この場合には、拡大レンズは展示面の前向又は斜め上方などにおいて面対向するように配置されることになる。つまり、体験者が拡大レンズを介して展示面を覗き見れる方向であれば、どのような方向であっても良い。
【００８８】
【発明の効果】
以上のように、本発明の請求項１における外壁パネルの性能展示設備によれば、種類の異なる外壁パネルの性能の違いを、それぞれ強度比較、透水性比較及び拡大比較により多方向から認識でき、その外壁パネルの差を印象付けることができる。
【００８９】
また、強度比較体験装置により各外壁パネルの強度差を明確にし、外壁パネルの強度差を印象付けることができる。また、レバー操作時の力の掛け具合で各試験片の強度を実感することができるとともに、各試験片の種類毎の強度の違いを実感することができる。さらに、透明の保護カバーにより破片を飛散させることなく強度比較体験を安全に行うことができる。
【００９０】
また、透水性比較装置により各外壁パネルの透水性の違いを容易に把握でき、その透水性の差を印象付けることができる。しかも、各試験器周囲でのシミの出具合によって各外壁パネルの透水性の差を実体験することができる。加えて、保護カバーにより展示室内を気密状態にし、各試験器内の液体の透水による変化量を正確に把握することができる。
【００９１】
また、拡大比較体験装置により各外壁パネルの拡大比較の差を明確にし、その構造上の差を印象付けることができる。
【００９２】
そして、照射体を具備することで、各サンプル片を常時鮮明な状態で拡大比較でき、装置本体の設置場所を拡大することができる。
【００９３】
さらに、透明体と複数の拡大レンズとを備えることで、各サンプル片の展示面を各拡大レンズを介して見誤ることなく交互に拡大比較することができる。
【図面の簡単な説明】
【図１】本発明の実施形態に係わる外壁パネルの性能展示設備の全体構成の概略を示す正面図である。
【図２】強度比較体験装置の全体構成の概略を示す斜視図である。
【図３】強度比較体験装置の側面図である。
【図４】透水性比較装置の全体構成の概略を示す斜視図である。
【図５】透水性比較装置の側面図である。
【図６】拡大比較体験装置の全体構成の概略を示す斜視図である。
【図７】拡大比較体験装置の側面図である。
【図８】拡大鏡を介して覗き見た第１サンプル片の展示面の拡大図である。
【図９】拡大鏡を介して覗き見た第２サンプル片の展示面の拡大図である。
【符号の説明】
１      性能展示設備
２      強度比較体験装置
２１    展示室
２１ｂ  保護カバー
２２    試験片装着部
２３    ハーケン
２４    レバー
３      透水性比較装置
３１    展示室
３３    保護カバー
３４    透明板
４      拡大比較体験装置
５      装置本体
５１    展示部
６      照射体
７      拡大鏡
７２    透明体
７３    拡大レンズ
Ｄ１    第１試験片
Ｄ２    第１試験器
Ｄ３    第１サンプル片
Ｄｂ    前方開口部（開口部）
Ｄｔ    展示面
Ｒ１    第２試験片
Ｒ２    第２試験器
Ｒ３    第２サンプル片
Ｒｂ    前方開口部（開口部）
Ｒｔ    展示面
Ｗ      水（液体）
【図１】
0003716109.tif 000002
【図２】
0003716109.tif 000003
【図３】
0003716109.tif 000004
【図４】
0003716109.tif 000005
【図５】
0003716109.tif 000006
【図６】
0003716109.tif 000007
【図７】
0003716109.tif 000008
【図８】
0003716109.tif 000009
【図９】
0003716109.tif 000010